(57)【要約】【課題】集合住宅等のベランダに閉じ込められた状態となったことを検知することができるようにする。【解決手段】閉じ込み検知装置１は、ベランダ２１に人が存在することを検知する第１の人感センサ２と、扉２２が施錠されているか否かを検知する施錠センサ３と、第１の人感センサ２の検知信号と施錠センサ３の検知信号とを照合して閉じ込められた状態となった人が存在するか否かの判断を行い、その判断結果に応じて各種警報信号を出力する制御部４とを備える。第１の人感センサ３がベランダ２１における人の存在を検知した状態であるときに、施錠センサ３が扉２２の施錠を検知したときには、制御部４は、「閉じ込み有り」と判断し、警報信号として救出信号を集合住宅の共用通路２３に設けられた共用通路照明器具７及び上記判断結果を表示するモニター等である受信装置８、９に送信する。【選択図】図１
2009032023.tif 000002
【特許請求の範囲】
【請求項１】
居住空間とベランダとの間に設けられた開口部を開閉する扉が閉じられた状態でベランダに人が存在し、閉じ込められた状態となったことを検知する閉じ込み検知装置であって、
ベランダに人が存在することを検知する第１の人感センサと、
前記扉が施錠されているか否かを検知する施錠センサと、
前記第１の人感センサの検知信号と前記施錠センサの検知信号とを照合する制御部とを備え、
前記制御部は、前記第１の人感センサによって人の存在を検知した状態で、前記施錠センサによって前記扉が施錠されたことを検知した場合に、閉じ込み有りと判断して警報信号を出力することを特徴とする閉じ込み検知装置。
【請求項２】
前記第１の人感センサとは異なった検知範囲を有して、ベランダに人が存在することを検知する第２の人感センサと、
前記第１の人感センサ及び第２の人感センサの双方が検知状態である時間をカウントするタイマを備え、
前記制御部は、前記タイマによってカウントした時間が予め設定した所定時間を経過したときに、警報信号を出力することを特徴とする請求項１に記載の閉じ込み検知装置。
【発明の詳細な説明】
【技術分野】
【０００１】
本発明は、集合住宅等のベランダに設けられ、人が当該ベランダに閉じ込められた場合に、それを検知する閉じ込み検知装置に関する。
【背景技術】
【０００２】
従来より、人感センサの検知信号に応じて外部に通報信号を出力する人感検知通報装置が知られている。この種の装置において、例えば、開口部の建具（窓や玄関扉等）の開閉状態を検知する開閉センサと、開口部近傍に設けた人感センサとを備え、開閉センサ及び人感センサの検知信号の状況変化により不審者の侵入を判断し、侵入を検知した際には、外部に警報信号を出力するようにしたセキュリティ装置がある（例えば、特許文献１及び特許文献２等参照）。
【特許文献１】特開２００４−２２０２４２号公報
【特許文献２】特開２００６−３９７９６号公報
【発明の開示】
【発明が解決しようとする課題】
【０００３】
ところが、上述したような従来の装置においては、居住者等が開口部に面したベランダに出た状態で、室内に居る幼児等によって窓が施錠されると、窓が施錠されたか否かを検知することができず、居住者等がベランダに閉じ込められた状態となるといった問題がある。
【０００４】
本発明は、上記問題を解決するためになされたものであり、ベランダに閉じ込められた状態となったことを検知することができる閉じ込み検知装置を提供することを目的とする。
【課題を解決するための手段】
【０００５】
上記目的を達成するために請求項１の発明は、居住空間とベランダとの間に設けられた開口部を開閉する扉が閉じられた状態でベランダに人が存在し、閉じ込められた状態となったことを検知する閉じ込み検知装置であって、ベランダに人が存在することを検知する第１の人感センサと、前記扉が施錠されているか否かを検知する施錠センサと、前記第１の人感センサの検知信号と前記施錠センサの検知信号とを照合する制御部とを備え、前記制御部は、前記第１の人感センサによって人の存在を検知した状態で、前記施錠センサによって前記扉が施錠されたことを検知した場合に、閉じ込み有りと判断して警報信号を出力するものである。
【０００６】
請求項２の発明は、請求項１に記載の発明において、前記第１の人感センサとは異なった検知範囲を有して、ベランダに人が存在することを検知する第２の人感センサと、前記第１の人感センサ及び第２の人感センサの双方が検知状態である時間をカウントするタイマを備え、前記制御部は、前記タイマによってカウントした時間が予め設定した所定時間を経過したときに、警報信号を出力するものである。
【発明の効果】
【０００７】
請求項１の発明によれば、第１の人感センサがベランダにおける人の存在を検知した状態であるときに、施錠センサが扉の施錠を検知したときには、閉じ込み有りと判断し、外部に警報信号を出力するので、ベランダに閉じ込められた状態となった閉じ込み者の存在を、外部の者に迅速且つ的確に通知することができる。
【０００８】
請求項２の発明によれば、閉じ込み者が自発的に、ベランダに閉じ込められた状態となったことを外部の者に通知することができる。
【発明を実施するための最良の形態】
【０００９】
（第１の実施形態）
本発明の第１の実施形態に係る閉じ込み検知装置について図１乃至図５を参照して説明する。図１及び図２は、本実施形態に係る閉じ込み検知装置の概略構成を示す。閉じ込み検知装置１は、居住空間２０とベランダ２１との間に設けられた開口部を開閉する扉２２が閉じられた状態でベランダ２１に人が存在し、閉じ込められた状態となったことを検知するものである。閉じ込み検知装置１は、ベランダ２１に人が存在することを検知する第１の人感センサ２と、扉２２が施錠されているか否かを検知する施錠センサ３と、第１の人感センサ２の検知信号と施錠センサ３の検知信号とを照合して閉じ込められた状態となった人が存在するか否かの判断を行い、その判断結果に応じて各種警報信号を出力する制御部４とを備える。
【００１０】
第１の人感センサ２は、ベランダ２１に設けられた照明器具（以下、ベランダ照明器具という）５に搭載されており、人の存在を検知した状態（検知状態）では、検知信号を制御部４に送信するようになっている。施錠センサ３は、クレセント鍵等により扉２２が施錠されている状態（検知状態）では、検知信号を制御部４に送信するようになっている。また、第１の人感センサ２及び施錠センサ３のセンシング機能をオンオフするセンサスイッチ６が、居住空間に設けられている。
【００１１】
制御部４は、上記判断結果に応じた各種警報信号を、集合住宅の共用通路２３に設けられた照明器具（以下、共用通路照明器具という）７と、上記判断結果を表示するモニター等であって、居住空間２０及び集合住宅の管理人室２４に設けられた受信装置８、９に送信する。
【００１２】
共用通路照明器具７は、制御部４からの警報信号に応じて予め設定した点灯パターンで点灯を行う。共用通路照明器具７、受信装置８、９及びベランダ照明器具５の点灯回路１０は、集合住宅に設けられた商用電源１１にフィルタ１２を介して同一系統の電力線２５で接続され、共用通路照明器具７及び受信装置８、９は、電力線通信によって制御部４からの警報信号を受信できるようになっている。フィルタ１２は、本システムとこれとは別の電力系統（他の電力系統）との間で信号が混在するのを防止するためのものであり、電力線２５を流れる各種信号が他の電力系統に流出することや、他の電力系統を流れる通信帯域の周波数信号が電力線２５に流入することを防止する。
【００１３】
制御部４は、第１の人感センサ２が検知状態になってから経過した時間をカウントするタイマ機能を有している。また、ベランダ照明器具５の点灯回路１０と接続されており、第１の人感センサ２からの検知信号を受信すると、ベランダ照明器具５を点灯させるための制御信号を点灯回路に送信する。ベランダ照明器具５は、この制御信号によって第１の人感センサ２の検知状態と連動した点灯を行う。
【００１４】
次に、上記のように構成された閉じ込み検知装置１の動作手順について説明する。表１は、制御部４における上述の判断結果を示し、図３乃至図５は、上述の判断結果に応じた各種警報信号を制御部４が送信する際のタイミングチャートを示す。
【００１５】
【表１】
2009032023.tif 000003
【００１６】
第１の人感センサ２が検知状態であるときに、施錠センサ３が検知無し状態から検知状態になったとき、すなわち、第１の人感センサ２がベランダ２１における人の存在を検知した状態であるときに、施錠センサ３が扉２２の施錠を検知したときには（パターン１）、制御部４は、「閉じ込み有り」と判断する。このとき、図３に示すように、警報信号として救出信号を共用通路照明器具７及び受信装置８、９に送信する。ただし、施錠センサ３が非検知状態から検知状態になったときに、第１の人感センサ２が検知状態になってから経過した時間である検知継続時間ｔが、予め設定した所定時間ｔ１に達していない場合を条件とする。制御部４からの救出信号によって、受信装置８、９は、制御部４が判断した「閉じ込み有り」という内容を表示し、共用通路照明器具７は、例えば、５秒程度の間隔で明暗動作を繰り返すような点灯パターンで点灯を行う。
【００１７】
施錠センサ３が検知無し状態であるときに、第１の人感センサ２が検知無し状態から検知状態になった場合において、すなわち、施錠センサ３が扉２２の施錠を検知していない状態であるときに、第１の人感センサ２がベランダ２１における人の存在を検知した場合においては（パターン２）、検知継続時間ｔが、所定時間ｔ１に達したときに、制御部４は、「不審者有り」と判断する。このとき、図４に示すように、警報信号として不審者信号を共用通路照明器具７及び受信装置８、９に送信する。制御部４からの不審者信号によって、受信装置８、９は、制御部４が判断した「不審者有り」という内容を表示し、共用通路照明器具７は、例えば、１秒程度の間隔で点滅動作を繰り返すような点灯パターンで点灯を行う。なお、検知継続時間ｔが所定時間ｔ１に達したときに、不審者信号が送信されるので、居住者等は、ベランダ２１において長時間作業を行うような場合には、第１の人感センサ２及び施錠センサ３のセンシング機能をセンサスイッチ６によってオフしておく。
【００１８】
施錠センサ３が検知状態であるときに、第１の人感センサ２が検知無し状態から検知状態になったとき、すなわち、施錠センサ３が扉２２の施錠を検知した状態であるときに、第１の人感センサ２がベランダ２１における人の存在を検知したときには（パターン３）、制御部４は、「不審者有り」と判断する。このとき、図５に示すように、警報信号として不審者信号を共用通路照明器具７及び受信装置８、９に送信する。制御部４からの不審者信号によって、受信装置８、９は、パターン２と同様の内容を表示し、共用通路照明器具７は、パターン２と同様の点灯パターンで点灯を行う。
【００１９】
本実施形態に係る照明システム１によれば、制御部４が上述のように判断を行って、救出信号又は不審者信号を共用通路照明器具７及び受信装置８、９に送信するので、ベランダ２１に閉じ込められた状態となった閉じ込み者又はベランダ２１における不審者の存在を、管理人や居住空間２０の居住者、隣人等に迅速且つ的確に通知することができる。
【００２０】
（第２の実施形態）
本発明の第２の実施形態に係る閉じ込み検知装置について図６乃至図８を参照して説明する。図６及び図７は、本実施形態に係る閉じ込み検知装置１の概略構成を示す。閉じ込み検知装置１は、第１の人感センサ２とは異なった検知範囲を有して、ベランダ２１に人が存在することを検知する第２の人感センサ１３をさらに備え、制御部４は、第１の人感センサ２及び第２の人感センサ１３の双方が検知状態である時間をカウントするタイマ機能を有する点で第１の実施形態と相違する。第２の人感センサ１３は、ベランダ照明器具５において、居住者等のみが知りえる場所に配置される。
【００２１】
第１の人感センサ２が検知状態であるときに、第２の人感センサ１３が検知無し状態から検知状態になった場合、すなわち、第１の人感センサ２がベランダ２１における人の存在を検知した状態で、第２の人感センサ１３がベランダ２１における人の存在を検知した場合には、図８に示すように、第１の人感センサ２及び第２の人感センサ１３の双方が検知状態になってから経過した時間である検知継続時間ｔ’が、予め設定した所定時間ｔ２に達したときに、制御部４は、不審者信号を共用通路照明器具７及び受信装置８、９に送信する。このように構成されることにより、閉じ込み者が、第２の人感センサ１３を検知状態にすることで、自発的に、ベランダに閉じ込められた状態となったことを外部の者に通知することができる。
【００２２】
なお、本発明は、上記各種実施形態の構成に限られず、発明の趣旨を変更しない範囲で種々の変形が可能である。例えば、共用通路２３にブザーを設けて、制御部４が警報信号を出力する場合には、共用通路照明器具７の点灯に連動させてブザーから警報音を鳴らすようしたものであってもよい。また、受信装置８、９に、上記判断結果に応じて警報音を鳴らす機能を設けたものであってもよい。
【図面の簡単な説明】
【００２３】
【図１】本発明の第１の実施形態に係る閉じ込み検知装置の外観図。
【図２】同閉じ込み検知装置のブロック図。
【図３】パターン１における救出信号を送信する際のタイミングチャート。
【図４】パターン２における不審者信号を送信する際のタイミングチャート。
【図５】パターン３における不審者信号を送信する際のタイミングチャート。
【図６】本発明の第２の実施形態に係る閉じ込み検知装置の外観図。
【図７】同閉じ込み検知装置のブロック図。
【図８】第２の人感センサを用いて警報信号を送信する際のタイミングチャート。
【符号の説明】
【００２４】
１  閉じ込み検知装置
２  第１の人感センサ
３  施錠センサ
４  制御部
５  ベランダ照明器具
６  センサスイッチ
７  共用通路照明器具
８、９  受信装置
１０  点灯回路
１１  商用電源
１２  フィルタ
１３  第２の人感センサ
２０  居住空間
２１  ベランダ
２２  扉
２３  共用通路
２４  管理人室
２５  電力線
【図１】
2009032023.tif 000004
【図２】
2009032023.tif 000005
【図３】
2009032023.tif 000006
【図４】
2009032023.tif 000007
【図５】
2009032023.tif 000008
【図６】
2009032023.tif 000009
【図７】
2009032023.tif 000010
【図８】
2009032023.tif 000011